(57)【要約】【課題】  大きな製造原価上昇を抑制しながら、右利き用及び左利き用並びに様々なサイズの大きさの手に対応可能な鋏を提供する。【解決手段】  一対の鋏片２、３のうち少なくとも一方の鋏片２に着脱自在に組み付けられ、把持部７の一部を構成する環状の指掛部８であって、弾性変形可能な弾性材製の指掛部８と、一方の鋏片２のうち指掛部８が装着される部位に設けられ、指掛部８と共に把持部７の一部を構成するとともに、指掛部８より曲げ剛性が大きく、かつ、指掛部８を介して当該一方の鋏片２に作用する押圧力を受ける受圧部９とを備える。【選択図】図２
2018023700.tif 000002
【特許請求の範囲】
【請求項１】
刃部（６）及び把持部（７）を有する一対の鋏片（２、３）であって、一方の鋏片（２）が他方の鋏片（３）に対して揺動可能に組み付けられた一対の鋏片（２、３）と、
前記一対の鋏片（２、３）のうち少なくとも一方の鋏片（２）に着脱自在に組み付けられ、前記把持部（７）の一部を構成する環状の指掛部（８）であって、弾性変形可能な弾性材製の指掛部（８）と、
前記一方の鋏片（２）のうち前記指掛部（８）が装着される部位に設けられ、前記指掛部（８）と共に前記把持部（７）の一部を構成するとともに、前記指掛部（８）より曲げ剛性が大きく、かつ、前記指掛部（８）を介して当該一方の鋏片（２）に作用する押圧力を受ける受圧部（９）と
を備えることを特徴とする鋏。
【請求項２】
前記受圧部（９）は、前記指掛部（８）側に曲率中心を有する円弧状に形成されていることを特徴とする請求項１に記載の鋏。
【請求項３】
前記受圧部（９）から前記指掛部（８）側に突出し、前記指掛部（８）を前記受圧部（９）に組み付けるための組付部（１０）を備え、
前記組付部（１０）は、前記指掛部（８）に設けられた穴部（８Ａ）を貫通した突起部（１０Ａ）、及び当該突起部（１０Ａ）の先端側において突出方向と交差する方向に広がる傘部（１０Ｂ）を有し、
さらに、前記傘部（１０Ｂ）は、前記指掛部（８）側に曲率中心を有する円弧状に形成されていることを特徴とする請求項２に記載の鋏。
【請求項４】
前記傘部（１０Ｂ）の先端側には、前記受圧部（９）側に突出した第２の突起部（１０Ｃ）が設けられていることを特徴とする請求項３に記載の鋏。
【発明の詳細な説明】
【技術分野】
【０００１】  本発明は、刃部及び把持部を有する一対の鋏片を備える鋏に関する。
【背景技術】
【０００２】  例えば、特許文献１に記載の鋏は、各鋏片に設けられた把持部が着脱自在な構成となっている。
【先行技術文献】
【特許文献】
【０００３】
【特許文献１】実開昭６３−１７５５７２号公報
【発明の概要】
【発明が解決しようとする課題】
【０００４】  特許文献１に記載の発明は、着脱自在な把持部が剛体製である。このため、特許文献１に記載の発明では、多種多様なサイズ等に対応可能とするには、右利き用及び左利き用に様々なサイズの把持部を必要とする。このため、特許文献１に記載の発明では、大きな製造原価上昇を招く等の問題がある。【０００５】  本願は、上記点に鑑み、大きな製造原価上昇を抑制しながら、右利き用及び左利き用並びに様々なサイズの大きさの手に対応可能な鋏を提供することを目的とする。
【課題を解決するための手段】
【０００６】  本願では、刃部（６）及び把持部（７）を有する一対の鋏片（２、３）であって、一方の鋏片（２）が他方の鋏片（３）に対して揺動可能に組み付けられた一対の鋏片（２、３）と、一対の鋏片（２、３）のうち少なくとも一方の鋏片（２）に着脱自在に組み付けられ、把持部（７）の一部を構成する環状の指掛部（８）であって、弾性変形可能な弾性材製の指掛部（８）と、一方の鋏片（２）のうち指掛部（８）が装着される部位に設けられ、指掛部（８）と共に把持部（７）の一部を構成するとともに、指掛部（８）より曲げ剛性が大きく、かつ、指掛部（８）を介して当該一方の鋏片（２）に作用する押圧力を受ける受圧部（９）とを備える。【０００７】  これにより、指掛部（８）が弾性変形することにより、様々なサイズの把持部を用意することなく、右利き用及び左利き用並びに様々なサイズの大きさの手に対応可能となる。【０００８】  また、受圧部（９）は指掛部（８）より曲げ剛性が大きいので、指掛部（８）をシリコン等の弾性変形可能な材質で構成しても一対の鋏片（２、３）に確実に押圧力を作用させることができる。【０００９】  つまり、本願に係る鋏では、指掛部（８）を弾性変形可能な柔軟な材質として様々なサイズの大きさの手に対応可能とするとともに、受圧部（９）の曲げ剛性を指掛部（８）より大きくすることにより一対の鋏片（２、３）に確実に押圧力を作用させることが可能な構造となっている。【００１０】  したがって、大きな製造原価上昇を抑制しながら、右利き用及び左利き用並びに様々なサイズの大きさの手に対応可能な鋏を得ることが可能となる。【００１１】  因みに、上記各括弧内の符号は、後述する実施形態に記載の具体的構成等との対応関係を示す一例であり、本発明は上記括弧内の符号に示された具体的構成等に限定されるものではない。
【図面の簡単な説明】
【００１２】
【図１】本発明の実施形態に係る鋏を示す図である。
【図２】本発明の実施形態に係る鋏を示す図である。
【図３】Ａ及びＢは、本発明の実施形態に係る鋏の把持部７の拡大図である。
【図４】本発明の実施形態に係る組付部１０の拡大図である。
【図５】Ａ及びＢは、本発明の実施形態に係る指掛部８を示す図である。
【発明を実施するための形態】
【００１３】  以下に説明する「発明の実施形態」は、本願発明の技術的範囲に属する実施形態の一例を示すものである。つまり、特許請求の範囲に記載された発明特定事項等は、下記の実施形態に示された具体的構成や構造等に限定されるものではない。
【００１４】  以下、本発明の実施形態を図面と共に説明する。なお、各図に付された方向を示す矢印等は、各図相互の関係を理解し易くするために記載したものである。本発明は、各図に付された方向に限定されるものではない。
【００１５】  少なくとも符号を付して説明した部材又は部位は、「複数」や「２つ以上」等の断りをした場合を除き、少なくとも１つ設けられている。
【００１６】  （第１実施形態）
１．鋏の概略構造
本実施形態に係る鋏１は、図１及び図２に示すように、第１鋏片２及び第２鋏片３を有している。第１鋏片２は、軸部５により第２鋏片３に対して揺動可能に組み付けられている。
【００１７】  第１鋏片２及び第２鋏片３それぞれは、図２に示すように、刃部６及び把持部７を有している。本実施形態では、刃部６と把持部７とは、金属又は硬質な非金属（例えば、セラミック等）による一体成形品である。
【００１８】  なお、本実施形態では、第１鋏片２と第２鋏片３とは、図１に示すように、略対称形状である。つまり、第１鋏片２と第２鋏片３とは、紙面左右上の違いを除き、その構成は同一である。以下、第２鋏片３の把持部７を例に本実施形態に係る把持部７の構造を説明する。
【００１９】  把持部７は、指掛部８及び受圧部９等を有して構成されている。指掛部８は受圧部９に着脱自在に組み付けられ、把持部７の一部を構成する環状の部材である。当該指掛部８は、弾性変形可能な弾性材製である。
【００２０】  受圧部９は、第２鋏片３のうち指掛部８が装着される部位に設けられ、当該指掛部８と共に把持部７の一部を構成する。そして、受圧部９は、指掛部８より曲げ剛性が大きく、かつ、指掛部８を介して第２鋏片３に作用する押圧力を受ける。
【００２１】  つまり、鋏１を利用する利用者は、鋏１にて切断対象物を切断する際に、第１鋏片２の把持部７と第２鋏片３の把持部７とを離間させるように鋏１を開く（図２参照）。その後、利用者は、第１鋏片２の把持部７と第２鋏片３の把持部７とが近づくように、指掛部８を介して各把持部７に押圧力を作用させる。
【００２２】  なお、本実施形態に係る受圧部９は各鋏片２、３と共に一体形成された一体成形品でる。つまり、本実施形態では、指掛部８より縦弾性係数等が大きい材料にて受圧部９が構成されることにより、受圧部９の曲げ剛性が指掛部８より大きくなっている。
【００２３】  受圧部９は、図３Ａ及び図３Ｂに示すように、指掛部８側に曲率中心を有する円孤状に形成されている。本実施形態に係る受圧部９は、少なくとも指掛部８と接触可能な内周面７Ａが一定の曲率半径となる円弧状に構成されている。
【００２４】  各受圧部９の外周面のうち、鋏１が閉じられたときに互いに対向する部位には（図３Ａ参照）、凸部９Ｂが設けられている。各凸部９Ｂは、他方側の受圧部９に向けて突出している。
【００２５】  これにより、各凸部９Ｂは、鋏１が閉じられたときに、一対の受圧部９間に隙間を発生させる。したがって、鋏１が閉じられたときに、一対の受圧部９間に指が挟まれることを抑制するとともに、鋏１が閉じられたときの衝撃を緩和することが可能となる。
【００２６】  ２．指掛部の取付構造
各受圧部９には、図３Ｂに示すように、組付部１０が設けられている。各組付部１０は、指掛部８を各受圧部９に組み付けるための部位である。当該組付部１０は、受圧部９から指掛部８側に突出している。
【００２７】  具体的には、各組付部１０は、図４に示すように、第１突起部１０Ａ及び傘部１０Ｂ等を有している。第１突起部１０Ａは、指掛部８が装着された状態において、指掛部８に設けられた穴部８Ａ（図５Ａ及び図５Ｂ参照）を貫通する部位である。
【００２８】  なお、本実施形態に係る第１突起部１０Ａは、円弧状の受圧部９と鋏片２、３との連結部１１に対応する部位に設けられている。つまり、連結部１１から指掛部８側に向かう延長線Ｌｏ上に第１突起部１０Ａが設けられている。
【００２９】  傘部１０Ｂは、第１突起部１０Ａの先端側において突出方向と交差する方向に広がる部位である。本実施形態に係る傘部１０Ｂは、指掛部８側に曲率中心を有する円弧状に形成されている。
【００３０】  そして、傘部１０Ｂの先端のうち少なくとも一方（本実施形態では両側）の先端には、第２突起部１０Ｃが設けられている。それら第２突起部１０Ｃは、傘部１０Ｂの先端から受圧部９側に突出している。なお、本実施形態に係る組付部１０は、受圧部９に一体形成された一体成形品である。
【００３１】  ３．本実施形態に係る鋏の特徴
本実施形態では、指掛部８が弾性変形することにより、様々なサイズの把持部を用意することなく、右利き用及び左利き用並びに様々なサイズの大きさの手に対応可能となる。
【００３２】  また、受圧部９は指掛部８より曲げ剛性が大きいので、指掛部８をシリコン等の弾性変形可能な材質で構成しても一対の鋏片２、３に確実に押圧力を作用させることができる。
【００３３】  つまり、本実施形態に係る鋏１では、指掛部８を弾性変形可能な柔軟な材質として様々なサイズの大きさの手に対応可能とするとともに、受圧部９の曲げ剛性を指掛部８より大きくすることにより一対の鋏片２、３に確実に押圧力を作用させることが可能な構造となっている。
【００３４】  したがって、大きな製造原価上昇を抑制しながら、右利き用及び左利き用並びに様々なサイズの大きさの手に対応可能な鋏１を得ることが可能となる。
【００３５】  本実施形態に係る受圧部９は、指掛部８側に曲率中心を有する円弧状に形成されている。これにより、受圧部９が指の形状に沿うような形状となるので、押圧力を確実に一対の鋏片２、３に伝達させることができる。
【００３６】  本実施形態に係る傘部１０Ｂは、指掛部８側に曲率中心を有する円弧状に形成されている。これにより、指掛部８が受圧部９から外れること及び指が痛くなることを抑制できる。
【００３７】  本実施形態に係る傘部１０Ｂの先端側には、受圧部９側に突出した第２突起部１０Ｃが設けられている。これにより、第２突起部１０Ｃが弾性材料に構成された指掛部８に食い込むので、指掛部８の受圧部９に対する位置を保持できるとともに、指掛部８が受圧部９から外れることを確実に抑制できる。
【００３８】  （その他の実施形態）
上述の実施形態に係る指掛部８は円環状であった。しかし、本発明はこれに限定されるものではなく、例えば楕円状の環状であってもよい。
【００３９】  上述の実施形態では、刃部６及び把持部７（受圧部９も含む。）が一体形成されたものであった。しかし、本発明はこれに限定されるものではなく、例えば、刃部６と把持部７とを別々に製造した後、刃部６と把持部７とを組み付けて一体化する、又は刃部６と把持部７とを着脱自在に組み付けてもよい。
【００４０】  上述の実施形態に係る受圧部９及び傘部１０Ｂは、曲率一定の円弧状であった。しかし、本発明はこれに限定されるものではなく、受圧部９又は傘部１０Ｂを、例えば、複数の曲率中心を有するとともに、それらの曲率が異なる円弧状、又は略直線状としてもよい。
【００４１】  上述の実施形態では、傘部１０Ｂの先端側に第２突起部１０Ｃが設けられていた。しかし、本発明はこれに限定されるものではなく、一対の第２突起部１０Ｃのいずれか又は全てを廃止してもよい。
【００４２】  上述の実施形態では、突起部１０Ａ及び傘部１０Ｂにて組付部１０が構成されていた。しかし、本発明はこれに限定されるものではなく、その他形状であってもよい。
【００４３】  上述の実施形態に係る指掛部８は、シリコン製であったが、本発明はこれに限定されるものではなく、その他の樹脂等であってもよい。
【００４４】  上述の実施形態では、指掛部８より縦弾性係数等が大きい材料にて受圧部９を構成することにより、受圧部９の曲げ剛性を指掛部８より大きくした。しかし、本発明はこれに限定されるものではなく、断面二次モーメントを大きくすることにより、曲げ剛性を大きくしてもよい。
【符号の説明】
【００４５】１…鋏
２…第１鋏片
３…第２鋏片
５…軸部
６…刃部
７…把持部
７Ａ…内周面
８…指掛部
８Ａ…穴部
９…受圧部
９Ｂ…凸部
１０…組付部
１０Ａ…第１突起部
１０Ｂ…傘部
１０Ｃ…第２突起部
【図１】
2018023700.tif 000003
【図２】
2018023700.tif 000004
【図３】
2018023700.tif 000005
【図４】
2018023700.tif 000006
【図５】
2018023700.tif 000007